(57)【要約】【課題】  音質を劣化させることなく音響空間内に水が溜まるのを防止することができる浴室用スピーカー装置を提供する。【解決手段】  スピーカー１１の正面側および背面側にそれぞれエンクロージャー９で覆われる音響空間１０ａ、１０ｂを形成すると共に、エンクロージャー９の正面側の音響空間１０ａを形成する部分に音響ポート１４を設けて該正面側の音響空間１０ａとエンクロージャー９の外部とを連通し、スピーカー１１の正面波を音響ポート１４を介してエンクロージャー９の外部に放射するケルトン方式の浴室用スピーカー装置において、音響ポート１４を正面側の音響空間１０ａの最低位置に形成した。【選択図】        図１
2006333145.tif 000002
【特許請求の範囲】
【請求項１】
スピーカーの正面側および背面側にそれぞれエンクロージャーで覆われる音響空間を形成すると共に、エンクロージャーの正面側の音響空間を形成する部分に音響ポートを設けて該正面側の音響空間とエンクロージャーの外部とを連通し、スピーカーの正面波を音響ポートを介してエンクロージャーの外部に放射するケルトン方式の浴室用スピーカー装置において、音響ポートを正面側の音響空間の最低位置に形成して成ることを特徴とする浴室用スピーカー装置。
【発明の詳細な説明】
【技術分野】
【０００１】
本発明はケルトン方式の浴室用スピーカー装置に関する。
【背景技術】
【０００２】
従来から例えば特許文献１のようなケルトン方式のスピーカー装置が知られている。図５に示す一般的なケルトン方式のスピーカー装置は、スピーカー１１の正面側および背面側にそれぞれエンクロージャー９で覆われる音響空間１０ａ、１０ｂを形成すると共に、エンクロージャー９の正面側の音響空間１０ａを形成する部分に音響ポート１４を設けて該正面側の音響空間１０ａとエンクロージャー９の外部とを連通し、音響ポート１４の断面積および容積の調整により得られたヘルムホルツ共鳴の原理に基づく共振により、スピーカー１１の正面波を音響ポート１４を介してエンクロージャー９の外部に放射するものである。このケルトン方式の浴室用スピーカー装置は、音圧特性は図６に示すようなバンドパス特性となるが、いわゆるバスレフ型のスピーカーと比較すると低音域における減衰速度が緩やかであるため、この低音域での再生に優れている。
【０００３】
ところで上記ケルトン方式の浴室用スピーカー装置にあっては、図７、図８に示すように、音響ポート１４は正面視において正面側の音響空間１０ａの略中央部分に該音響空間１０ａの前側にあるエンクロージャー９の前端壁部から室内側に向けて開口しており、この音響ポート１４から音響空間１０ａの内部に侵入した湯気等の湿気や水が音響空間１０ａの下部に溜まって排出できないものであった。このため、音響ポート１４を防水シート等にて覆って水分の出入を遮断することが考えられるが、この場合には音質が劣化してしまうものであった。
【特許文献１】特開平５−２８４５８６号公報
【発明の開示】
【発明が解決しようとする課題】
【０００４】
本発明は上記従来の問題点に鑑みて発明したものであって、その目的とするところは、音質を劣化させることなく音響空間内に水が溜まるのを防止することができる浴室用スピーカー装置を提供することを課題とする。
【課題を解決するための手段】
【０００５】
上記課題を解決するために本発明に係る浴室用スピーカー装置は、スピーカー１１の正面側および背面側にそれぞれエンクロージャー９で覆われる音響空間１０ａ、１０ｂを形成すると共に、エンクロージャー９の正面側の音響空間１０ａを形成する部分に音響ポート１４を設けて該正面側の音響空間１０ａとエンクロージャー９の外部とを連通し、スピーカー１１の正面波を音響ポート１４を介してエンクロージャー９の外部に放射するケルトン方式の浴室用スピーカー装置において、音響ポート１４を正面側の音響空間１０ａの最低位置に形成して成ることを特徴とするものである。このような構成とすることで、該音響空間１０ａの最低位置に音響ポート１４を形成して該音響ポート１４が音響空間１０ａからの水抜き孔を兼用することとなって、正面側の音響空間１０ａに水分が侵入してしまっても、この水分を音響空間１０ａ外に排出することができる。
【発明の効果】
【０００６】
本発明では、該音響空間の最低位置に音響ポートを形成して該音響ポートが音響空間からの水抜き孔を兼用することとなって、正面側の音響空間に水分が侵入してしまっても、この水分を音響空間外に排出することができて、音質を劣化させることなく音響空間内に水が溜まるのを防止することができる。
【発明を実施するための最良の形態】
【０００７】
以下、本発明を添付図面に示す実施形態に基いて説明する。図１は本実施形態のケルトン方式の浴室用スピーカー装置を浴室壁２に取付けた状態を示す水平断面図であり、以下の浴室用スピーカー装置の説明では図１の浴室用スピーカー装置を浴室壁２に取付けた状態において浴室用スピーカー装置の室内側を前側イ、室外側を後側ロと定義して説明する。なお図１では後述のカバー２２の図示を省略している。
【０００８】
浴室用スピーカー装置はユニットバスを構成する壁パネルからなる浴室壁２に取付けられるもので、後部が浴室壁２に取付けられる装置本体３で主体を構成している。装置本体３は基体４と該基体４の前面にねじで取付けられる中板５とで構成してあり、正面視で横長の長方形形状に形成されている。
【０００９】
装置本体３の左右方向（長手方向ハ）の中央部には制御基板収納部６を形成してあり、該制御基板収納部６は、基体４の中央部に形成した前方に開口する収納凹部７と、収納凹部７の前面開口を覆う中板５の中央部で構成されている。つまり制御基板収納部６の前面部を中板５の中央部で構成すると共に後面部を収納凹部７の底面部で構成している。
【００１０】
制御基板収納部６の内部には制御基板収納部６の前面部の内面に沿って制御基板８を配設してあり、該制御基板８は制御基板収納部６の後面部から前方に向けて突設したリブ２４により支持されている。制御基板収納部６の後面部の中央部には筒部１５を後方に向けて突設してあり、筒部１５の内側には制御基板収納部６の内部と制御基板収納部６の後方とを連通させる配線孔２０を形成している。
【００１１】
装置本体３における基体４の収納凹部７を挟んだ左右両側の夫々には内部に音響空間１０ａ、１０ｂを形成したエンクロージャー９を形成している。各エンクロージャー９は、後部を大略有底円筒状に形成して内部にスピーカー１１の背面側の音響空間１０ｂが形成されるようにスピーカー１１および前壁部９ｃを底の前方に固定するとともに、前部をスピーカー１１の正面側に音響空間１０ａが形成されるように大略角筒状の前側壁部９ｂおよびその前端縁に形成される前端壁部９ａからなる大略有蓋角筒状に形成してある。そして、各エンクロージャー９の正面側の音響空間１０ａの最低位置に音響ポート１４を形成してある。これは、正面側の音響空間１０ａを形成するエンクロージャー９の下端の前側壁部９ｂから斜め下方に音響ポート１４を形成するとともに該音響ポート１４の出口１４ａを室内側イの空間に連通させている。また、中板５のスピーカー１１の前方に位置する部分は開口している。
【００１２】
また図４に示すように上記装置本体３の前面には後方に開口するカバー２２を取付けてあり、該カバー２２の内側に装置本体３の前部を嵌め込んで固定している。カバー２２の中央部には操作釦２３を設けてあり、該操作釦２３を操作することで中板５を介して制御基板８の操作部２７を操作して、制御基板８に配線を介して接続される図示しない音源を操作できるようになっている。なおカバー２２の前面部のスピーカー１１の前方に位置する部分は開口している。
【００１３】
上記浴室用スピーカー装置を図１のように浴室壁２に取付けるには、配線孔２０から装置本体３の後方に引き出された制御基板８に接続された配線（図示せず）を浴室の壁裏に配設した音源に接続し、浴室壁２に穿設した嵌込孔２５に装置本体３から後方に突出した壁埋込部１７を嵌め込んで浴室用スピーカー装置を浴室壁２に固定する。
【００１４】
このように浴室壁２に取付けられた浴室用スピーカー装置にあっては、各エンクロージャー９の後半部である壁埋込部１７が浴室壁２に埋め込んであるので、各エンクロージャー９の容積を確保しつつ、浴室用スピーカー装置の浴室内側への突出量を抑えることができる。
【００１５】
そして上記のように浴室壁２に浴室用スピーカー装置を取付けることで浴室に音響システムを構成するもので、この浴室用スピーカー装置の操作釦２３を操作して音源を操作することで、音源からの電気信号をスピーカー１１の振動に変換して浴室用スピーカー装置から音を発生できるようになっており、上述したように低音域における減衰速度が緩やかで音質の優れた音が発生する。
【００１６】
以上のような構成によって、音響ポート１４が音響空間１０ａからの水抜き孔を兼用すさせることができて、正面側の音響空間１０ａに水分が侵入してしまっても、この水分を音響空間１０ａ外に排出することができ、音質を劣化させることなく音響空間内に水が溜まるのを防止することができる。
【００１７】
なお上記音響ポート１４、エンクロージャー９の夫々の形状及び容積は設定目標となる周波数特性により適宜決定されるもので、本実施形態の形状や容積に限定されるものでなく、例えば形状にあっては角筒状や円筒状等適宜変更可能である。
【図面の簡単な説明】
【００１８】
【図１】本発明の実施の形態の一例を示し、カバーを取り外した状態にあるスピーカー装置を浴室壁に取付けた状態を示す水平断面図である。
【図２】同上の正面図である。
【図３】同上のスピーカー装置を後側から見た斜視図である。
【図４】同上のスピーカー装置を前側から見た斜視図である。
【図５】従来のケルトン方式のスピーカー装置を示す説明図である。
【図６】ケルトン方式スピーカー装置の音圧周波数特性及び密閉型スピーカー装置の音圧周波数特性を示すグラフである。
【図７】従来の防水性を有するスピーカー装置の水平断面図である。
【図８】同上の正面図である。
【符号の説明】
【００１９】
１０ａ  正面側の音響空間
１０ｂ  背面側の音響空間
１１  スピーカー
１４  音響ポート
９  エンクロージャー
【図１】
2006333145.tif 000003
【図２】
2006333145.tif 000004
【図３】
2006333145.tif 000005
【図４】
2006333145.tif 000006
【図５】
2006333145.tif 000007
【図６】
2006333145.tif 000008
【図７】
2006333145.tif 000009
【図８】
2006333145.tif 000010